(57)【要約】  本発明は、（ａ）光線１１を供給する光源１０であって、光源１０からの光が脱出するための光出口面１２を有する、光源１０と、（ｂ）光源１０を部分的に包囲するランプシェード２０であって、ランプシェード内側表面２１及びランプシェード光出口２２を有する、ランプシェード２０と、（ｃ）光源１０の光出口面１２とランプシェード２０のランプシェード光出口２２との間に部分的に配置される光変換要素３０であって、光変換要素３０は光透過部３１を含み、光透過部３１は、光線の少なくとも一部を蛍光材料光に変換する蛍光材料４０を含む、光変換要素３０とを含む、照明ユニット１を提供する。
2014532954.tif 000002
【特許請求の範囲】
【請求項１】
照明ユニットであって
−光線を供給する光源であって、前記光源は、前記光源からの光が脱出するための光出口面を有する、光源と、
−前記光源を部分的に包囲するランプシェードであって、前記ランプシェードは、ランプシェード内側表面及びランプシェード光出口を有する、ランプシェードと、
−前記光源の前記光出口面と前記ランプシェードの前記ランプシェード光出口との間に部分的に配置される光変換要素であって、前記光変換要素は、これにより前記照明ユニットの動作中、前記光線の一部を受光し、また、前記光変換要素は光透過部を含み、前記光透過部は、前記光線の少なくとも一部を蛍光材料光に変換する蛍光材料を含む、光変換要素と
を含む、照明ユニット。
【請求項２】
前記光変換要素は、体軸を有する中空の形状を有し、前記光線は光軸を有し、前記体軸と前記光軸とは一致する、請求項１に記載の照明ユニット。
【請求項３】
前記光透過部は、異なる蛍光特性を有する複数の透過領域を含む、請求項１又は２に記載の照明ユニット。
【請求項４】
前記光変換要素は壁を有し、前記壁は前記光透過部を含み、前記壁はさらに、１つ以上のスルーホールを含む、請求項１乃至３のいずれか一項に記載の照明ユニット。
【請求項５】
前記光変換要素は、蛍光量子ドットを含む、請求項１乃至４のいずれか一項に記載の照明ユニット。
【請求項６】
前記光変換要素は、埋め込まれたミクロ粒子無機蛍光材料を含む、請求項１乃至５のいずれか一項に記載の照明ユニット。
【請求項７】
前記光変換要素は、埋め込まれた有機蛍光材料を含む、請求項１乃至６のいずれか一項に記載の照明ユニット。
【請求項８】
前記光変換要素は、埋め込まれたミクロ粒子有機蛍光材料を含む、請求項１乃至７のいずれか一項に記載の照明ユニット。
【請求項９】
前記蛍光材料は、ペリレン蛍光材料を含む、請求項１乃至８のいずれか一項に記載の照明ユニット。
【請求項１０】
前記光源は、固体ＬＥＤ光源を含む、請求項１乃至９のいずれか一項に記載の照明ユニット。
【請求項１１】
前記光変換要素は、前記照明ユニットに取り外し可能に取り付けられる、請求項１乃至１０のいずれか一項に記載の照明ユニット。
【請求項１２】
前記光源は、相関色温度が５０００〜２００００Ｋの範囲内の光源光を供給する、請求項１乃至１１のいずれか一項に記載の照明ユニット。
【請求項１３】
照明ユニットの組み合わせであって、
−光線を供給する光源であって、前記光源は、前記光源からの光が脱出するための光出口面を有する光源と、
−前記光源を部分的に包囲するランプシェードであって、前記ランプシェードは、ランプシェード内側表面及びランプシェード光出口を有する、ランプシェードと、
−複数の光変換要素であって、各光変換要素は、前記光源の前記光出口面と前記ランプシェードの前記ランプシェード光出口との間に部分的に配置されるよう、前記照明ユニットに取り外し可能に取り付け可能であり、これにより前記照明ユニットの動作中、前記光線の一部を受光し、また、各光変換要素は光透過部を含み、前記光透過部は、前記光線の少なくとも一部を蛍光材料光に変換する蛍光材料を含む、複数の光変換要素と
を含む、照明ユニットの組み合わせ。
【請求項１４】
前記ランプシェード内では有色外観を作成する一方、前記ランプシェード光出口から出射される白色の照明ユニット光を供給する、請求項１乃至１１のいずれか一項に記載の照明ユニットの使用方法。
【請求項１５】
前記ランプシェード内では複数の異なる色領域を有する有色外観を作成する一方、前記ランプシェード光出口から出射される白色の照明ユニット光を供給する、請求項３又は４に記載の照明ユニットの使用方法。
【発明の詳細な説明】
【技術分野】
【０００１】
本発明は、ランプシェード及び光変換要素を有する照明ユニット、並びにかかる照明ユニットの使用方法に関する。
【背景技術】
【０００２】
当該技術分野において、ランプシェードを有する照明ユニットが知られている。例えば、米国特許第５３１１４１５号は、汎用折り畳み式ランプシェードカバーを開示し、当該ランプシェードカバーは、複数の隣接する細長いパネルを有する、プリート加工された、いくらか剛性ではあるが屈曲可能な矩形の薄いシート材料を含み、これらの部材は、各パネル間の折れ線に沿ってアコーディオン状に互いに一体的に接続される。プリート加工されたシートの側方のマージンは、いくらか筒状の部材を形成するよう接続され、上端で円周が絞られると、パネルの上側マージンに隣接するいくつかの均等間隔の選択されたパネルによって形成される開口部と、ランプシェードの上側剛性マージンとの間に相互係合可能な固定紐又はクリップ構造によって主に定位置に固定されるよう寸法される。当該技術分野においては、他の種類のランプシェードも知られている。
【発明の概要】
【発明が解決しようとする課題】
【０００３】
装飾照明装置においては、照明がオンの状態で（すなわち動作中）、遠方には均質な白色光を供給するが、照明器具の内部では装飾的な有色外観を有することが望ましいと考えられている。従来技術の解決策は、このような機能を提供しないと考えられる。よって、本発明の１つの側面は、好ましくは少なくとも部分的にこの望ましい機能を提供する代替的な照明ユニットを提供することである。
【０００４】
この目的のために、照明器具（「照明ユニット」とも呼ぶ）内で複数の異なる色を生成し、その後遠方において均質な白色光を生じるための、遠隔蛍光体構成を使用することを提案する。
【課題を解決するための手段】
【０００５】
飽和色を与えることができる（有機）蛍光材料（量子ドットを含む）の使用を提案する。また、発光帯の位置は比較的自由に選択することができる。よって、遠方では均質な白色照明を生じる一方、照明器具の内部では装飾的な有色外観を有する、異なる色を生成する遠隔蛍光材料（量子ドットを含む）構成を使用することを提案する。したがって、本発明の第１の側面は、照明ユニットであって、
−光線を供給する光源であって、光源からの光が脱出するための光出口面を有する、光源と、
−光源を部分的に包囲するランプシェードであって、ランプシェード内側表面及びランプシェード光出口を有する、ランプシェードと、
−光源の光出口面とランプシェードのランプシェード光出口との間に部分的に配置される光変換要素であって、光変換要素は、これにより照明ユニットの動作中、光線の一部を受光し、また、光変換要素は光透過部を含み、光透過部は、光線の少なくとも一部を蛍光材料光に変換する蛍光材料を含む、光変換要素と
を含む、照明ユニットを提供する。
【０００６】
かかる照明ユニット又は照明器具は、ランプシェード内に色彩効果を有する一方、白色光を供給することが可能である。よって、（照明ユニットの動作中）白色光が（遠方で）供給されるにも関わらず、ランプシェードの開口部（及び／又は内部）は着色されているように見えることができる。例えば、照明ユニットから出る光は、ランプシェードの開口部から距離１〜１０ｍ離れた壁又は床に投影されると、白色光として知覚され得る。あるいは、照明ユニットは、有色光（すなわち、有色照明ユニット光）を供給するよう適用されてもよく、ランプシェードの開口部（及び／又は内部）は、照明ユニットによって遠方で供給される光の色とは異なる色又は色領域によって着色されるように見えてもよい。本明細書において、遠方という用語は、当業者によって理解されるであろう。例えば、ランプシェード光出口から少なくとも０．５ｍの距離、０．５〜１０ｍの範囲内、ランプシェード光出口から少なくとも１ｍ、ランプシェード光出口から１〜１０ｍ等である。よって、光変換要素及び光源の組み合わせはランプシェード内側表面に、例えば１つ以上の有色スポット、色彩パターン、及び有色情報を投影するために使用することができる。
【０００７】
光源という用語は、原則的には当該技術分野において知られるあらゆる光源に関する。例えば、慣用的な（タングステン）電球、低圧水銀ランプ、高圧水銀ランプ、蛍光灯、又はＬＥＤ（発光ダイオード）等でもよい。好ましくは、光源は、動作中に３８０〜４５０ｎｍの範囲から選択される波長の光を少なくとも出射する光源である。この光は、光変換要素（下記参照）によって部分的に使用されてもよい。特定の実施形態において、光源は固体ＬＥＤ光源（例えば、ＬＥＤ又はレーザーダイオード）を含む。また、用語「光源」は、複数の光源、例えば２〜２０個の（固体）ＬＥＤ光源に関連してもよい。光源は、光出口面を有する。電球又は蛍光灯等の慣用的な光源の場合、光出口面は、ガラス又は水晶からなる外装の外表面であり得る。ＬＥＤに関しては、ＬＥＤダイが外表面であるか、又はＬＥＤダイに樹脂が付加されている場合、樹脂が外表面であり得る。原則的には、光出口面はファイバの末端でもよい。出口面という用語は、光が光源から実際に離れる又は脱出する光源の部分に特に関する。光源は、光線を供給するよう構成される。したがって、この光線は光出口面を介して光源から出る。
【０００８】
本明細書において用いられる、白色光という用語は、当業者にとって周知であろう。この用語は、相関色温度（ＣＣＴ）が約２０００〜２００００Ｋ、特に２７００〜２００００Ｋ、全般照明に関しては約２７００〜６５００Ｋ、バックライト用途では特に約７０００〜２００００Ｋ、特にＢＢＬ（黒体軌跡）から約１５ＳＤＣＭ（ｓｔａｎｄａｒｄ  ｄｅｖｉａｔｉｏｎ  ｏｆ  ｃｏｌｏｒ  ｍａｔｃｈｉｎｇ）内、特にＢＢＬから約１０ＳＤＣＭ内、さらに特にＢＢＬから約５ＳＤＣＭ内の光に特に関する。一実施形態において、光源は約５０００〜２００００Ｋの相関色温度（ＣＣＴ）を有する光源光を供給してもよく、例えば、直接蛍光体変換ＬＥＤ、例えば１００００Ｋを取得するための薄い蛍光体層を有する青色発光ダイオードである。よって、光源の特定の実施形態は相関色温度が５０００〜２００００Ｋ、特に６０００〜２００００Ｋ、例えば８０００〜２００００Ｋの光源光を供給するよう構成される。比較的高い色温度は、光源光内に比較的高い青色成分が存在できる点で有利である。この青色成分は、部分的に蛍光材料によって吸収され、蛍光材料光に変換され得る。任意で、光源内に別個の青色光源（例えば、固体ＬＥＤ）が含まれてもよい。
【０００９】
用語「紫色光」又は「紫色発光」は、約３８０〜４４０ｎｍの範囲内の波長を有する光に特に関する。用語「青色光」又は「青色発光」は、約４４０〜４９０ｎｍ（紫色及びシアンの色相をいくらか含む）の範囲内の波長を有する光に特に関する。用語「緑色」又は「緑色発光」は、約４９０〜５６０ｎｍの範囲内の波長を有する光に特に関する。用語「黄色光」又は「黄色発光」は、約５６０〜５９０ｎｍの範囲内の波長を有する光に特に関する。用語「橙色光」又は「橙色発光」は、約５９０〜６２０ｎｍの範囲内の波長を有する光に特に関する。用語「赤色光」又は「赤色発光」は、約６２０〜７５０ｎｍの範囲内の波長を有する光に特に関する。用語「可視」、「可視光」、又は「可視発光」は、約３８０〜７５０ｎｍの範囲内の波長を有する光を指す。
【００１０】
本明細書において、用語「ランプシェード」は当業者によって知られる通りであり、顧客／エンドユーザの言葉において一般的に使用されている通りである。例えば、ランプシェードは、光源を覆うために用いられる任意の種類の保護又は装飾用カバーとして定義できる。特定の実施形態において、ランプシェードは円筒状又は円錐状の形状を有してもよい。ランプシェードは、ランプシェード光出口、すなわち、光がランプシェードから出る際に通過する開口部を有する。本発明において、脱出する光は、光源光及び任意で変換された光源光の組み合わせであり得る。
【００１１】
ランプシェードは、光源を部分的に包囲する。このようにすることで、観察者は、例えばぎらつきによって邪魔されない。あるいは、又はさらに、ランプシェードは装飾的な機能を有してもよい。一般的に、光源の大部分、少なくとも光出口面は、ランプシェードによって囲われるであろう。
【００１２】
照明ユニットは、さらに光変換要素を含む。この要素は、光線の少なくとも一部を蛍光材料光に変換するために用いられる。よって、この要素は全ての光源光を変換するよう用いられるわけではない。光線の一部は光変換要素によって遮られず、光変換要素は光線の一部のみを「遮る」。よって、光変換要素は、光源の光出口面とランプシェードのランプシェード光出口との間に部分的に構成される。このようにすることで、光変換要素は、照明ユニットの動作中、光線の一部を受光する。言い換えれば、光変換要素は、光源の下流、且つランプシェード光出口の上流に配置され、光源によって生成された光線の一部のみが光変換要素を照射する。
【００１３】
用語「上流」及び「下流」は、光生成手段（ここでは、特に光源）からの光の伝播に関するアイテム又は特徴の配置に関連し、光生成手段からの光線内の第１の位置に対して、生成手段に近い光線内の第２の位置は「上流」であり、光生成手段から遠い光線内の第３の位置は「下流」である。
【００１４】
光変換要素は光透過部を含む。これにより、光源光は光変換要素に入射し、光変換要素の他方の側面において変換光が出射され得る。任意で、光変換要素の他方の側面から光源光の一部も出射されてもよい。よって、用語「光透過部」は、光源光を完全に吸収し、照射される領域の反対側の透過部の一部から蛍光が出射されない要素から区別するためにも使用される。用語「透過」は、「透明」又は「半透明」に関連してもよい。
【００１５】
光透過部は、光線の少なくとも一部を蛍光材料光に変換するよう構成された蛍光材料を含む。蛍光材料は、原則的には、光源光の少なくとも一部を吸収するのに適し、吸収された光源光の少なくとも一部を蛍光（特に、可視光）に変換することができる任意の蛍光材料でよい。特に、蛍光材料は、可視光スペクトルの少なくとも青色部分を吸収するよう構成される。
【００１６】
無機蛍光材料の例は、例えばセリウム（Ｃｅ）ドープイットリウム・アルミニウム・ガーネット（ＹＡＧ）（例えば、分子比ＹＡＧ：Ｃｅ＝２．１又は３．３）、又はセリウムドープルテチウム・アルミニウム・ガーネット（ＬｕＡＧ）（例えば、同様の分子比）を含む。適切な無機蛍光材料の具体的な例は、例えばＹ３Ａｌ５Ｏ１２：Ｃｅ３＋，Ｙ２ＬｕＡｌ５Ｏ１２：Ｃｅ３＋，ＹＧｄＴｂＡｌ５Ｏ１２：Ｃｅ３＋，Ｙ２．５Ｌｕ０．５Ａｌ５Ｏ１２：Ｃｅ３＋，（Ｓｒ，Ｂａ，Ｃａ）２ＳｉＯ４：Ｅｕ２＋，（Ｓｒ，Ｃａ，Ｂａ）Ｓｉ２Ｏ２Ｎ２：Ｅｕ２＋，（Ｃａ，Ｓｒ，Ｂａ）Ｇａ２Ｓ４：Ｅｕ２＋等である。他の青色光を励起可能な蛍光材料を適用してもよい。
【００１７】
あるいは、又はさらに、光変換要素は、埋め込まれた有機蛍光材料を含む。適切な有機蛍光材料の例は、ペリレン誘導体、例えばＦ２４０（橙色）、Ｆ３０５（赤色）、Ｆ０８３（黄色）、Ｆ１７０（黄色）等のＢＡＳＦ  Ｌｕｍｏｇｅｎ（登録商標）、又はかかる蛍光材料の２つ以上の組み合わせを含む。よって、一実施形態において、蛍光材料は、１つ以上の前記ペリレン誘導体等のペリレン蛍光材料を含む。
【００１８】
特定の実施形態において、光変換要素は蛍光量子ドットを含む。かかる蛍光材料は、発光帯（当該技術において周知であるように、粒径に依存）の調整性において有利である。また、かかる構成は飽和蛍光色を与え得る。可視範囲内の発光を有する量子ドットのうち、最もよく知られたものは、硫化カドミウム（ＣｄＳ）及び（又は）硫化亜鉛（ＺｎＳ）シェル等のシェルを有するセレン化カドミウム（ＣｄＳｅ）をベースとする。リン化インジウム（ＩｎＰ）、及び／又は硫化銅インジウム（ＣｕＩｎＳ２）、及び／又は硫化銀インジウム（ＡｇＩｎＳ２）等のカドミウムを含まない量子ドットを用いることもできる。
【００１９】
他の実施形態において、光変換要素は、埋め込まれたミクロ粒子無機蛍光材料を含む。あるいは又はさらに、光変換要素は、埋め込まれたミクロ粒子有機蛍光材料を含む。これらの粒子は、有機プレート等の有機層（担体）内に埋め込まれてもよい。
【００２０】
蛍光粒子が埋め込まれ得る、かかる担体の例は、ＰＥ（ポリエチレン），ＰＰ（ポリプロピレン），ＰＥＮ（ポリエチレンナフタレート），ＰＣ（ポリカーボネート），ポリアクリル酸メチル（ＰＭＡ），ポリメタクリル酸メチル（ＰＭＭＡ）（Ｐｌｅｘｉｇｌａｓ（登録商標）又はＰｅｒｓｐｅｘ（登録商標）），酢酸酪酸セルロース（ＣＡＢ），シリコーン，ポリ塩化ビニル（ＰＶＣ），ポリエチレンテレフタラート（ＰＥＴ），（ＰＥＴＧ）（グリコール変性ポリエチレンテレフタレート），ＰＤＭＳ（ポリジメチルシロキサン），及びＣＯＣ（シクロオレフィン共重合体）からなるグループから選択される透過性有機材料担体である。ただし、他の実施形態において担体は無機材料を含み得る。好ましい無機材料は、ガラス、（溶融）石英、透過性セラミック材料、及びシリコーンからなるグループから選択される。担体として特に好ましい材料は、ＰＭＭＡ、透明ＰＶＣ、又はガラスである。
【００２１】
他の実施形態において、単体の材料自体が蛍光種を含む。例えば、光変換要素として蛍光ガラス又は蛍光セラミックを適用してもよい。
【００２２】
当業者にとって明らかであるように、光変換要素の実施形態及び変形例を組み合わせることができる。例として、透明な（ＰＭＭＡ）担体内に量子ドット及びミクロ粒子蛍光材料を埋め込んでもよい。
【００２３】
さらなる色彩効果を与えるために、光変換要素は追加の特徴を有してもよい。例えば、光変換部は異なる蛍光特性を有する複数の透過領域を含んでもよい。このようにすることで、複数の異なる色を生成することができ、これは光シェード内に色彩効果を生じ得る。あるいは又はさらに、光変換要素は壁を有してもよく、壁は、光透過部を含み、さらに１つ以上のスルーホールを含む。このようにすることで、光線は、蛍光材料を含む光透過部内で蛍光を生成することに加え、さらにスルーホール内を通過する。
【００２４】
光変換要素は任意の形状を有することができる。一実施形態において、光変換要素はコリメータの形状を有し、光源の光線を（さらに）コリメートすることを助けてもよい。他の実施形態において、光変換要素は円筒形状、又は円錐形状を有する。特定の実施形態において、光変換要素は体軸を有する中空の形状を有し、光線は光軸を有し、体軸と光軸とは一致する。このようにすることで、光変換要素は、任意でさらに光源の光線を成形するために用いることができる。他の実施形態において、光変換要素は、ランプシェードと相似の形状（例えば、円錐状のランプシェード及び円錐状の光変換要素）を有するが、必ずしもそうでなくともよい。
【００２５】
光変換要素は、光源から離れて配置される。よって、光変換要素は、光源の光出口面と特に物理的に接触しない。
【００２６】
一実施形態において、光変換要素は照明ユニットに取り外し可能に取り付けられてもよい。例えば、光変換要素は、１つ以上のコネクタ、１つ以上のネジ、１つ以上のスナップ手段、Ｖｅｌｃｒｏ（登録商標）タイプの取り付け具、又は磁性手段によって取り付けられてもよい。用語「取り外し可能に取り付け」又は「取り外し可能」は、修繕及び／又は接着剤タイプの材料の使用を必要とすることなく、光変換要素を他の光変換要素に（エンドユーザによって）比較的簡単に交換できることに特に関連し得る。この機能は、損傷が生じた場合における簡単な交換を可能にするが、光変換要素を、ランプシェード内に他のパターンを与える、且つ／又は他の色の種類の遠方光を与えるよう構成された他の光変換要素と交換するために特に使用できる。
【００２７】
よって、他の実施形態において、本発明は、照明ユニットの組み合わせであって、
−光線を供給する光源であって、光源からの光が脱出するための光出口面を有する光源と、
−光源を部分的に包囲するランプシェードであって、ランプシェード内側表面及びランプシェード光出口を有する、ランプシェードと、
−複数の光変換要素であって、各光変換要素は、光源の光出口面とランプシェードのランプシェード光出口との間に部分的に配置されるよう、照明ユニットに取り外し可能に取り付け可能であり、これにより照明ユニットの動作中、光線の一部を受光し、また、各光変換要素は光透過部を含み、光透過部は、光線の少なくとも一部を蛍光材料光に変換する蛍光材料を含む、複数の光変換要素と
を含む、照明ユニットの組み合わせを提供する。特に、複数の光変換要素は、例えば（ａ）異なる個数及び／若しくは位置を有するスルーホール、並びに／又は（ｂ）異なる個数及び／又は位置を有する光透過部を有する、少なくとも２つの異なる光変換要素を含む。
【００２８】
上記に記載の照明ユニットは、特に、ランプシェード内に有色の外観を作成する一方、ランプシェード光出口から出射される白色の照明ユニット光を供給するために用いられてもよい。
【００２９】
本明細書において、「実質的に全ての発光」又は「実質的に〜からなる」等における「実質的に」という用語は当業者によって理解されるであろう。用語「実質的に」は、「完全に」、「完璧に」、「全て」等を有する実施形態を含み得る。よって、実施形態において実質的にという修飾語は除去してもよい。適切な場合、用語「実質的に」は、９０％以上、９５％以上、特に９９％以上、さらに特に９９．５％以上に関連してもよく、１００％を含んでもよい。用語「含む（又は備える若しくは有する）」は、用語「含む」が「〜からなる」を意味する実施形態をも含む。
【００３０】
本明細書におけるデバイスは、他の状態も存在する中で、動作中に関して説明される。当業者にとって明らかであるように、本発明は動作方法又は動作中のデバイスに限定されない。
【００３１】
上記実施形態は、本発明を限定するのではなく説明するものであり、当業者は、特許請求の範囲から逸脱することなく多数の代替的な実施形態を設計することができることに留意されたい。請求項において、括弧内の参照符号は請求項を限定すると解釈されるべきではない。動詞「含む（又は備える若しくは有する）」及びその活用形の使用は、請求項内に記載された以外の要素又はステップの存在を除外しない。要素は複数を除外しない。複数の手段を列挙する装置クレームにおいて、これらの手段は同一のハードウェアのアイテムによって具体化されてもよい。いくつかの手段が互いに異なる従属請求項に記載されているからといって、これらの手段の組み合わせを好適に用いることができないとは限らない。
【００３２】
本発明は、さらに、明細書に記載される及び／又は図面に示される１つ以上の特徴を含むデバイスに適用される。本発明は、さらに、明細書に記載される及び／又は図面に示される１つ以上の特徴を含む方法又はプロセスに関する。
【００３３】
本出願で説明される多様な側面は、さらなる利点を提供するために組み合わせることができる。また、特徴のいくつかは、１つ以上の分割出願の基礎を形成し得る。
【図面の簡単な説明】
【００３４】
以下、例として概略的な図面を参照しながら本発明の実施形態を説明する。図面において、対応する参照符号は対応する部品（又は部分）を示す。
【００３５】
【図１】図１ａ〜図１ｊは、本明細書で説明される照明ユニットのいくつかの実施形態及び側面を概略的に示す。
【００３６】
図面は寸法通りであるとは限らない。
【発明を実施するための形態】
【００３７】
図１ａは、光線１１を供給するよう構成された光源１０を含む照明ユニット１を概略的に図示する。光源１０は、光源１０から光が脱出するための光出口面１２を有し、この例では、ＬＥＤ上の樹脂の表面である。光源１０又は複数の光源（例えば、複数のＬＥＤ）の近傍又は遠方に配置される成形された拡散板等、他の構成も取ることができる。また、照明ユニットは、光源１０を部分的に囲うランプシェード２０を有する。ランプシェード２０は、内部ランプシェード表面２１、及びランプシェード出口２２を有する。参照符号０は、照明ユニット１の動作中に光源１０によって生成される光線１１の光軸を示す。
【００３８】
図１ｂは、同じ照明ユニットを図示するが、さらに光変換要素３０が設けられている。また、概略的に図示されたこの実施形態内の光変換要素３０は、光源１０の光出口面１２を部分的に包囲する。
【００３９】
光変換要素３０は、光源の光出口面１２とランプシェード２０のランプシェード光出口２２との間に部分的に配置されている。このようにすることで、光変換要素３０は、照明ユニット１の動作中、光線１１の一部を受光する。これは、光線ｒ１及びｒ２により示され、前者は妨害されることなく進む一方、後者は光変換要素３０の内側表面を照射する。上記のように、光変換要素３０は蛍光（発光）材料４０を含む。蛍光材料４０は、光線１１の少なくとも一部を、参照符号３７で示される蛍光材料光に変換する。
【００４０】
概略的に図示された実施形態のほとんどにおいて、光変換要素は壁３６を有し、壁３６は、光源１０（又は光源１０の光出口面１２）に面する第１表面３２、及び、第１表面の反対側に位置する、光源１０から離れる方向且つランプシェード内側表面２１に面する第２表面３３を有する。光源光１１は第１表面３２を照射し、蛍光（すなわち、蛍光材料光３７）が反対側の第２表面から脱出し得る。蛍光材料の励起を起こす光線を参照符号ｒ２で示す。蛍光材料光３７は、例としてｒ３で示される。光変換要素３０によって「妨害」されない光線は、参照符号ｒ１によって示される。例えば、光源光は、蛍光材料４０によって変換され得る青色成分を有する白色光１１でもよい。
【００４１】
光変換要素３０は、第１開口部４１及び第２開口部４２を有し、光源光の一部はそれぞれの開口部を通って入射及び出射する。壁３６は、例えば、光源光１１が通過する中空の円筒状又は球状要素を形成してもよい。光変換要素３０は、光源１０の光軸と平行に調整される、又は好ましくは一致する体軸を有してもよい。光軸は参照符号０によって示される。
【００４２】
図１ｃは、図１ｂに概略的に図示される実施形態と同じ実施形態をより詳細に概略的に図示する。例として、参照符号８によって示されるランプシェード２０の内部は観察者に対して有色外観を有し得る一方、参照符号５０によって示される照明ユニット光は白色に見え得る。照明ユニット光は、光変換要素３０の下流の光源光及び蛍光材料光の和である。光変換要素３０の形状は、ここでは円筒である。
【００４３】
図１ｄは、図１ｂ及び図１ｃに概略的に示される実施形態と同じ実施形態を概略的に図示するが、図１ｄでは、光変換要素３０は参照符号１３１，１３２，・・・によって示される複数の透過領域を含む。２つ以上の透過領域は、例えば異なる発光材料、又は異なる発光材料の組み合わせの使用により、異なる蛍光（発光）特性を有する。これは、参照符号Ｒ１及びＲ２によって示される、異なる色の領域を生じ得る。図１ｅは、異なる透過領域１３１，１３２・・・を有するかかる光変換要素３０の実施形態を詳細に図示し、これらのうちのいくつかは、参照符号４０（１），４０（２）・・・等によって示されるように、異なる種類の蛍光材料、又は蛍光材料の異なる組み合わせを含み得る。
【００４４】
原則として、パターン化された光変換要素３０を適用してもよい。これは、ランプシェード内側表面２１上に特定のパターン、場合によってはロゴさえも与え得る。これは、図１ｆに概略的に図示される。例として、Ｒ１〜Ｒ４は異なる色の領域を示す。あるいは、又はさらに、光変換要素３０は、１つ以上のスルーホールを含んでもよい。図１ｇは、複数のスルーホール２３１，２３２，・・・等を含むかかる光変換要素３０を概略的に図示する。
【００４５】
図１ｈ及び図１ｉは、光変換要素３０の他の実施形態を概略的に図示する。光変換要素３０は、ここでは体軸Ｂのまわり、及び体軸Ｂに直交する軸のまわりに湾曲されている。図１ｈは、光変換要素３０があらゆる種類の形状を取り得ることを示すために加えられた。
【００４６】
図１ｊは、遠方において、ランプシェード２０内とは異なる種類の光が得られることを概略的に図示する。ランプシェード光出口２２から距離ｄ離れた床又は壁等の物体７は白色光を受光し得る。言い換えれば、ランプシェード内部が有色光によって着色されているように見える（この図では描かれていないが、図１ｃ及び１ｄ、並びに図１ｆ〜図１ｈを参照）にも関わらず、観察者は、物体７が光源光５０によって照らされていることを観察し得る。例えば、ランプシェード光出口から少なくとも０．５ｍの距離ｄにおいて、物体を照らす照明ユニット光５０は白色として（又は、ランプシェード２０内の光の色とは異なる色として）知覚され得る。
【００４７】
図１ｋは、光変換要素３０が、例えばコネクタ、１つ以上のネジ、１つ以上のスナップ手段、Ｖｅｌｃｒｏ（登録商標）タイプの取り付け具、又は磁性手段によって照明ユニット１に取り外し可能に取り付けられる実施形態を概略的に図示する。ここでは、ネジタイプの方式が概略的に図示されている。
【図１ａ】
2014532954.tif 000003
【図１ｂ】
2014532954.tif 000004
【図１ｃ】
2014532954.tif 000005
【図１ｄ】
2014532954.tif 000006
【図１ｅ】
2014532954.tif 000007
【図１ｆ】
2014532954.tif 000008
【図１ｇ】
2014532954.tif 000009
【図１ｈ】
2014532954.tif 000010
【図１ｉ】
2014532954.tif 000011
【図１ｊ】
2014532954.tif 000012
【図１ｋ】
2014532954.tif 000013
【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
照明ユニットであって
−光線を供給する光源であって、前記光源は、前記光源からの光が脱出するための光出口面を有する、光源と、
−前記光源を部分的に包囲するランプシェードであって、前記ランプシェードは、ランプシェード内側表面及びランプシェード光出口を有し、前記ランプシェード光出口は、前記照明ユニットの動作中、前記ランプシェードから光が脱出する際に通過する開口部である、ランプシェードと、
−前記光源の前記光出口面と前記ランプシェードの前記ランプシェード光出口との間に部分的に配置される光変換要素であって、前記光変換要素は、これにより前記照明ユニットの動作中、前記光線の一部を受光し、また、前記光変換要素は光透過部を含み、前記光透過部は、前記光線の少なくとも一部を蛍光材料光に変換する蛍光材料を含む、光変換要素と
を含む、照明ユニット。
【請求項２】
前記光変換要素は、体軸を有する中空の形状を有し、前記光線は光軸を有し、前記体軸と前記光軸とは一致する、請求項１に記載の照明ユニット。
【請求項３】
前記光透過部は、異なる蛍光特性を有する複数の透過領域を含む、請求項１又は２に記載の照明ユニット。
【請求項４】
前記光変換要素は壁を有し、前記壁は前記光透過部を含み、前記壁はさらに、１つ以上のスルーホールを含む、請求項１乃至３のいずれか一項に記載の照明ユニット。
【請求項５】
前記光変換要素は、蛍光量子ドットを含む、請求項１乃至４のいずれか一項に記載の照明ユニット。
【請求項６】
前記光変換要素は、埋め込まれたミクロ粒子無機蛍光材料を含む、請求項１乃至５のいずれか一項に記載の照明ユニット。
【請求項７】
前記光変換要素は、埋め込まれた有機蛍光材料、及び埋め込まれたミクロ粒子有機蛍光材料のうちの１つ以上を含む、請求項１乃至６のいずれか一項に記載の照明ユニット。
【請求項８】
前記蛍光材料は、ペリレン蛍光材料を含む、請求項１乃至７のいずれか一項に記載の照明ユニット。
【請求項９】
前記光源は、固体ＬＥＤ光源を含む、請求項１乃至８のいずれか一項に記載の照明ユニット。
【請求項１０】
前記光変換要素は、前記照明ユニットに取り外し可能に取り付けられる、請求項１乃至９のいずれか一項に記載の照明ユニット。
【請求項１１】
前記光源は、相関色温度が５０００〜２００００Ｋの範囲内の光源光を供給する、請求項１乃至１０のいずれか一項に記載の照明ユニット。
【請求項１２】
前記照明ユニットは、使用中、前記ランプシェード内に有色外観を作成する一方、前記ランプシェード光出口から出射される白色の照明ユニット光を供給する、請求項１乃至１１のいずれか一項に記載の照明ユニット。
【請求項１３】
照明ユニットの組み合わせであって、
−光線を供給する光源であって、前記光源は、前記光源からの光が脱出するための光出口面を有する光源と、
−前記光源を部分的に包囲するランプシェードであって、前記ランプシェードは、ランプシェード内側表面及びランプシェード光出口を有する、ランプシェードと、
−複数の光変換要素であって、各光変換要素は、前記光源の前記光出口面と前記ランプシェードの前記ランプシェード光出口との間に部分的に配置されるよう、前記照明ユニットに取り外し可能に取り付け可能であり、これにより前記照明ユニットの動作中、前記光線の一部を受光し、また、各光変換要素は光透過部を含み、前記光透過部は、前記光線の少なくとも一部を蛍光材料光に変換する蛍光材料を含む、複数の光変換要素と
を含む、照明ユニットの組み合わせ。
【請求項１４】
前記ランプシェード内では有色外観を作成する一方、前記ランプシェード光出口から出射される白色の照明ユニット光を供給する、請求項１乃至１２のいずれか一項に記載の照明ユニットの使用方法。
【請求項１５】
前記ランプシェード内では複数の異なる色領域を有する有色外観を作成する一方、前記ランプシェード光出口から出射される白色の照明ユニット光を供給する、請求項３又は４に記載の照明ユニットの使用方法。
【手続補正２】
【補正対象書類名】明細書
【補正対象項目名】０００５
【補正方法】変更
【補正の内容】
【０００５】
飽和色を与えることができる（有機）蛍光材料（量子ドットを含む）の使用を提案する。また、発光帯の位置は比較的自由に選択することができる。よって、遠方では均質な白色照明を生じる一方、照明器具の内部では装飾的な有色外観を有する、異なる色を生成する遠隔蛍光材料（量子ドットを含む）構成を使用することを提案する。したがって、本発明の第１の側面は、照明ユニットであって、
−光線を供給する光源であって、光源からの光が脱出するための光出口面を有する、光源と、
−光源を部分的に包囲するランプシェードであって、ランプシェード内側表面及びランプシェード光出口を有し、ランプシェード光出口は、照明ユニットの動作中、ランプシェードから光が脱出する際に通過する開口部である、ランプシェードと、
−光源の光出口面とランプシェードのランプシェード光出口との間に部分的に配置される光変換要素であって、光変換要素は、これにより照明ユニットの動作中、光線の一部を受光し、また、光変換要素は光透過部を含み、光透過部は、光線の少なくとも一部を蛍光材料光に変換する蛍光材料を含む、光変換要素と
を含む、照明ユニットを提供する。
【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
照明ユニットであって
−光線を供給する光源であって、前記光源は、前記光源からの光が脱出するための光出口面を有する、光源と、
−前記光源を部分的に包囲するランプシェードであって、前記ランプシェードは、ランプシェード内側表面及びランプシェード光出口を有し、前記ランプシェード光出口は、前記ランプシェードから光が脱出する際に通過する開口部である、ランプシェードと、
−体軸を有する中空の形状を有する光変換要素であって、前記光線は光軸を有し、前記体軸と前記光軸とは一致し、前記光変換要素は、前記光源の前記光出口面と前記ランプシェードの前記ランプシェード光出口との間に部分的に配置され、前記光変換要素は、これにより前記照明ユニットの動作中、前記光線の一部を受光し、また、前記光変換要素は光透過部を含み、前記光透過部は、前記光線の少なくとも一部を前記ランプシェード内に有色外観を作成するための蛍光材料光に変換する蛍光材料を含む、光変換要素と
を含む、照明ユニット。
【請求項２】
前記光透過部は、異なる蛍光特性を有する複数の透過領域を含む、請求項１に記載の照明ユニット。
【請求項３】
前記光変換要素は壁を有し、前記壁は前記光透過部を含み、前記壁はさらに、１つ以上のスルーホールを含む、請求項１又は２に記載の照明ユニット。
【請求項４】
前記光変換要素は、蛍光量子ドットを含む、請求項１乃至３のいずれか一項に記載の照明ユニット。
【請求項５】
前記光変換要素は、埋め込まれたミクロ粒子無機蛍光材料を含む、請求項１乃至４のいずれか一項に記載の照明ユニット。
【請求項６】
前記光変換要素は、埋め込まれた有機蛍光材料を１つ以上含む、請求項１乃至５のいずれか一項に記載の照明ユニット。
【請求項７】
前記光変換要素は、組み込みミクロ粒子有機蛍光材料を含む、請求項１乃至６のいずれか一項に記載の照明ユニット。
【請求項８】
前記蛍光材料は、ペリレン蛍光材料を含む、請求項１乃至７のいずれか一項に記載の照明ユニット。
【請求項９】
前記光源は、固体ＬＥＤ光源を含む、請求項１乃至８のいずれか一項に記載の照明ユニット。
【請求項１０】
前記光変換要素は、前記照明ユニットに取り外し可能に取り付けられる、請求項１乃至９のいずれか一項に記載の照明ユニット。
【請求項１１】
前記光源は、相関色温度が５０００〜２００００Ｋの範囲内の光源光を供給する、請求項１乃至１０のいずれか一項に記載の照明ユニット。
【請求項１２】
照明ユニットの組み合わせであって、
−光線を供給する光源であって、前記光源は、前記光源からの光が脱出するための光出口面を有する光源と、
−前記光源を部分的に包囲するランプシェードであって、前記ランプシェードは、ランプシェード内側表面及びランプシェード光出口を有する、ランプシェードと、
−複数の光変換要素であって、各光変換要素は、前記光源の前記光出口面と前記ランプシェードの前記ランプシェード光出口との間に部分的に配置されるよう、前記照明ユニットに取り外し可能に取り付け可能であり、これにより前記照明ユニットの動作中、前記光線の一部を受光し、また、各光変換要素は光透過部を含み、前記光透過部は、前記光線の少なくとも一部を蛍光材料光に変換する蛍光材料を含む、複数の光変換要素と
を含む、照明ユニットの組み合わせ。
【請求項１３】
前記ランプシェード内では有色外観を作成する一方、前記ランプシェード光出口から出射される白色の照明ユニット光を供給する、請求項１乃至１１のいずれか一項に記載の照明ユニットの使用方法。
【請求項１４】
前記ランプシェード内では複数の異なる色領域を有する有色外観を作成する一方、前記ランプシェード光出口から出射される白色の照明ユニット光を供給する、請求項２又は３に記載の照明ユニットの使用方法。
【手続補正２】
【補正対象書類名】明細書
【補正対象項目名】０００５
【補正方法】変更
【補正の内容】
【０００５】
飽和色を与えることができる（有機）蛍光材料（量子ドットを含む）の使用を提案する。また、発光帯の位置は比較的自由に選択することができる。よって、遠方では均質な白色照明を生じる一方、照明器具の内部では装飾的な有色外観を有する、異なる色を生成する遠隔蛍光材料（量子ドットを含む）構成を使用することを提案する。したがって、本発明の第１の側面は、照明ユニットであって、
−光線を供給する光源であって、光源からの光が脱出するための光出口面を有する、光源と、
−光源を部分的に包囲するランプシェードであって、ランプシェード内側表面及びランプシェード光出口を有し、ランプシェード光出口は、ランプシェードから光が脱出する際に通過する開口部である、ランプシェードと、
−体軸を有する中空の形状を有する光変換要素であって、光線は光軸を有し、体軸と光軸とは一致し、光変換要素は、光源の光出口面とランプシェードのランプシェード光出口との間に部分的に配置され、光変換要素は、これにより照明ユニットの動作中、光線の一部を受光し、また、光変換要素は光透過部を含み、光透過部は、光線の少なくとも一部をランプシェード内に有色外観を作成するための蛍光材料光に変換する蛍光材料を含む、光変換要素と
を含む、照明ユニットを提供する。
【手続補正３】
【補正対象書類名】明細書
【補正対象項目名】００２４
【補正方法】変更
【補正の内容】
【００２４】
光変換要素は任意の形状を有することができる。一実施形態において、光変換要素はコリメータの形状を有し、光源の光線を（さらに）コリメートすることを助けてもよい。他の実施形態において、光変換要素は円筒形状、又は円錐形状を有する。このようにすることで、光変換要素は、任意でさらに光源の光線を成形するために用いることができる。他の実施形態において、光変換要素は、ランプシェードと相似の形状（例えば、円錐状のランプシェード及び円錐状の光変換要素）を有するが、必ずしもそうでなくともよい。
【国際調査報告】
2014532954.tif 000014
2014532954.tif 000015
2014532954.tif 000016
2014532954.tif 000017